(57)【要約】【課題】Ｗｅｂ上チラシの閲覧者がより少ない検索操作で、より適当な範囲のチラシを抽出し、また、より広範囲のチラシを取り扱うことを容易にする。【解決手段】マップをクライアントのブラウザに表示させ、マップ上で指定された位置データをクライアントから受信し、折込エリアマップデータを参照して、この指定位置が含まれる単位エリアのエリアコードを検出し、業種をクライアントのブラウザに表示させ、チラシ属性テーブル及び店舗デーブルを参照して、検出されたエリアコードが含まれ、かつ、クライアントにより指定された業種に一致するものに対応したチラシコードを検索し、ヒットしたチラシコードに対応したチラシ画像を、チラシ画像ファイル群から読み出してクライアントの表示装置に表示させる候補とする。チラシ画像ファイルは、折込会社のコンピュータからインターネットを介して受信する。【選択図】図８
0003111977.tif 000002
【実用新案登録請求の範囲】
【請求項１】
チラシコードと、該チラシコードで識別されるチラシの内容情報とが対応して格納されたチラシ記憶手段と、
エリアコードと、該エリアコードで識別されるチラシ配布単位エリアを表すデータとが対応して格納されたエリア記憶手段と、
少なくとも、該チラシコードと、１つ以上の該エリアコードと、該チラシを出した店舗の名称と、該店舗の業種とが対応して格納されたチラシ情報記憶手段と、
マップ記憶手段と、
制御手段とを有し、該制御手段は、
（ａ）該マップ記憶手段に格納されたマップ又は該マップから切り出したマップをクライアントの画面に表示させるためのデータを該クライアントに送信し、
（ｂ）該画面に表示されているマップの上で指定された位置又は領域のデータを該クライアントから受信し、
（ｃ）該エリア記憶手段の記憶内容を参照して、該指定されたマップ上の位置又は領域が含まれるチラシ配布単位エリアのエリアコードを検出し、
（ｄ）選択させるための業種リストを該クライアントの画面に表示させるためのデータを該クライアントに送信し、
（ｅ）該チラシ情報記憶手段を参照して、検出された該エリアコードが含まれ且つ該クライアントにより選択された業種に一致するものに対応したチラシコードを検索し、ヒットしたチラシコードに対応した店舗の名称を含む情報を検索結果として該クライアントの画面に表示させるためのデータを該クライアントに送信し、
（ｆ）該画面に表示されている検索結果から選択されたものを識別する情報を該クライアントから受信し、
（ｇ）該選択されたものを識別する情報に対応したチラシの内容情報の一部又は全部を該クライアントの画面に表示させるためのデータを該クライアントに送信する
ことを特徴とするチラシ公開サーバ装置。
【請求項２】
該チラシは折込チラシであり、
該エリア記憶手段には、複数の新聞社の各々について、該エリアコードと、該エリアコードで識別されるチラシ配布単位エリアを表すデータとが対応して格納され、
該制御手段は該ステップ（ｃ）において、該指定されたマップ上の位置又は領域が含まれるチラシ配布単位エリアのエリアコードを、該複数の新聞社の各々について検出する
ことを特徴とする請求項１記載のチラシ公開サーバ装置。
【請求項３】
該制御手段は、各チラシについて、クライアントの画面にチラシの内容情報を表示させるためのポインティングデバイス操作回数を計数し、該回数の値に基づいて、該チラシの広告主に対する課金を計算し、該広告主に対し請求書を直接又は間接的に発行することを特徴とす請求項１又は２に記載のチラシ公開サーバ装置。
【考案の詳細な説明】
【技術分野】
【０００１】
本考案は、インターネット上で折込チラシや架空のチラシを公開するチラシ公開サーバ装置に関する。
【背景技術】
【０００２】
新聞紙に折り込まれるチラシは、地域に密着した各種商品、不動産、クリーニングや映画や飲食などのサービス等の情報であり、その地域の需要者にとって、利用価値が高い。
【０００３】
ところが、活字離れやインターネット新聞の普及により、新聞購読率が低下して、折込チラシ配布数が減少している。
【０００４】
そこで、様々な折込チラシを一括してＷｅｂ上に掲載するサイトが、最近出始めている。
【０００５】
しかしながら、このようなサイトでは、主に、サイト運営者が折込チラシを見て広告主と直接交渉しているので、特定の地域のみしかチラシを掲載することしかできない。
【０００６】
また、業種と地域を指定して検索し、ヒットしたチラシのリストを作成し、このリストを表示しているので、業種を同時に複数選択した場合には、業種によらず地域が一定となる。このため、一般に地域の範囲が広すぎて不要情報が多く、知りたい情報をすぐに取得することができない。
【０００７】
例えば、食料品であれば、特に通勤者にとって平日の買物時間帯が限られるので、近くのスーパーなどで買い物をする。一方、家具などの場合には、休日に購入すればよいので、自宅から比較的離れた店舗のチラシも、見たい候補となる。
【０００８】
したがって、食料品の店舗と一地域とを選択してチラシを検索し、閲覧した後に、家具の店舗につき地域の範囲を広げて検索し、チラシを閲覧しなければならない。しかも、選択可能な１つの地域が業種と無関係な地域であり、且つ、行政区画であるので、例えば東京都練馬区のような比較的広い範囲にならざるを得ず、食料品などの業種の場合には範囲が広すぎて、多くの不要情報を目視することになる。この範囲を狭くすると、例えば家具の場合には多くの地域を選択しなければならず、検索操作が煩雑である。
【考案の開示】
【考案が解決しようとする課題】
【０００９】
本考案の目的は、上記問題点に鑑み、Ｗｅｂ上チラシの閲覧者がより少ない検索操作で、より適当な範囲のチラシを抽出することが可能なチラシ公開サーバ装置を提供することにある。
【課題を解決するための手段】
【００１０】
本考案によるチラシ公開サーバ装置一態様では、
エリアコードと、該エリアコードで識別される単位エリアを表すデータとが対応して格納されたエリア記憶手段と、
少なくとも、該チラシコードと、１つ以上の該エリアコードと、該チラシを出した店舗の名称と、該店舗の所在地と、該店舗の業種とが対応して格納されたチラシ情報記憶手段と、
マップ記憶手段と、
制御手段とを有し、該制御手段は、
該マップ記憶手段に格納されたマップをクライアントのブラウザに表示させ、
該マップ上で指定された位置又は領域のデータを該クライアントから受信し、
該エリア記憶手段の記憶内容を参照して、該指定されたマップ上の位置又は領域が含まれる単位エリアのエリアコードを検出し、
選択させるための業種リストを該クライアントの画面に表示させ、
該チラシ情報記憶手段を参照して、検出された該エリアコードが含まれ且つ該クライアントにより選択された業種に一致するものに対応したチラシコードを検索し、ヒットしたチラシコードに対応したチラシの内容情報を該クライアントの表示装置に表示させる候補とする。
【考案の効果】
【００１１】
本考案によるチラシ公開サーバ装置の上記一態様によれば、店舗の所在地及び業種との関係で、経験上購買の可能性の高い１以上の単位エリアが広告主の判断で指定されていることと、閲覧者指定位置又は領域がどの単位エリアに属しているかに応じて表示対象のチラシが抽出されることから、閲覧者は、業種に応じた適当な範囲を検索したことになる。これにより、閲覧者にとって不要なチラシの多くがリストアップ対象外となるので、見たいチラシの特定が容易となる。すなわち、Ｗｅｂ上チラシの閲覧者がより少ない検索操作で、より適当な範囲のチラシを抽出することが可能となる。
【００１２】
本考案の他の目的、構成及び効果は以下の説明から明らかになる。
【考案を実施するための最良の形態】
【００１３】
以下、図面を参照して本考案の実施例を説明する。
【００１４】
図１は、本考案に関係した折込チラシ広告の概略フロー説明図である。
【００１５】
折込チラシは、従来と同じ方法で作成されて、新聞紙に折り込まれる。すなわち、広告主１０は広告代理店１１に対し、見積依頼した後に、それに基づいて折込チラシの原稿作成、印刷及び新聞紙への折込を発注する。広告代理店１１は、折込チラシの原稿を作成し、広告主１０の了解を得た後に、その印刷及び折込をそれぞれ印刷会社１２及び折込会社１３に発注する。折込会社１３は、印刷会社１２に対し、チラシ配送先を指定する。印刷会社１２は、チラシの印刷が完了すると、これを当該配送先に配送する。
【００１６】
本実施例の特徴の１つは、折込会社１３がチラシサーバ管理会社１４に対し、店舗名、チラシが折り込まれる新聞社名、配布エリア及び広告期間などを指定して、チラシのＷｅｂ公開を発注し、折込会社１３の配送センターがチラシを印刷会社１２から受け取ると、その一部をチラシサーバ管理会社１４に送付する点である。
【００１７】
チラシサーバ管理会社１４は例えば、折込チラシをスキャナで読み取って、画像ファイルに変換し、ハードディスク上の所定のフォルダに格納する。これにより、広告期間の間、ユーザによるＷｅｂ上のチラシ画像閲覧が可能となる。サーバの記憶装置には、各チラシ画像について、クリック時点のデータが統計用として蓄積される。広告主１０は、サーバに対し、ＩＤ及びパスワードを入力することにより、時間に対するクリック数の統計グラフを見て、これを次回のチラシの内容やチラシ折込日などにフィードバックする。
【００１８】
チラシサーバ管理会社１４は、このクリック数に応じて広告主１０に対し課金し、その収益の一部を折込会社１３に配当する。
【００１９】
折込会社１３は複数の新聞紙への折込を行っており、かつ、多数の広告代理店１１から折込を受注するので、チラシサーバ管理会社１４は個々の広告主１０と直接契約することなく、比較的広範囲の折込チラシのＷｅｂ公開を容易に受注することができる。また、折込会社１３はクリック数に応じてチラシサーバ管理会社１４から配当金を受けることができるので、活字離れやインターネット新聞による、新聞購読率低下に伴う折込枚数減少による収入減を、補うことができる。チラシサーバ管理会社１４が折込会社１３からチラシＷｅｂ公開を受注することによる他の利点は、後述のように、折込エリアマップを折込会社１３（又は折込組合）から取得して、これを折込チラシ抽出処理に利用することができることである。
【００２０】
図２は、チラシＷｅｂ公開システムを示す概略図である。
【００２１】
折込チラシサーバ（Ｗｅｂサーバ）２０は、チラシサーバ管理会社１４に設置され、インターネット２２に接続されている。インターネット２２には、クライアント２４が接続されている。図２では簡単化のために、１つのクライアント２４のみを示し、また、ルータやモデムを図示省略している。
【００２２】
折込チラシサーバ２０は、コンピュータ本体２５と、コンピュータ本体２５に接続された外部記憶装置２６とを備えている。コンピュータ本体２５は、インターネット２２に接続された通信インタフェース２５１を備えている。コンピュータ本体２５の制御部２５２及びデータベース管理システム（ＤＢＭＳ）２５３は、ハードウェアとソフトウェア（ＯＳ、Ｗｅｂサーバプログラム及びＷｅｂアプリケーションプログラム）の組み合わせを機能的に示したものである。外部記憶装置２６には、コンテンツファイル（ＨＴＭＬファイルの集合と各ＨＴＭＬファイルにリンクされている画像ファイル）２６１及びチラシデータベース２６２が格納されている。
【００２３】
制御部２５２は、クライアント２４からの要求（ブラウザからの要求）に応じて、コンテンツファイル２６１中のファイルをクライアント２４へ送信（ブラウザへ送信）し、又は、ＤＢＭＳ２５３を介しチラシデータベース２６２をアクセスし、そのデータを用いてＨＴＭＬファイルを作成（コンテンツファイル中のＨＴＭＬファイル等を利用して作成する場合を含む）し、クライアント２４へ送信する。
【００２４】
なお、インターネット２２には折込会社１３のコンピュータ２８も接続されており、これから折込チラシサーバ２０へ店舗名や折込エリアマップ等のデータ（チラシ画像ファイルを含んでいてもよい）がe-mail等で供給される。
【００２５】
図３及び図４は、図２中のコンテンツファイル２６１及びチラシデータベース２６２に格納されるデータの説明図である。
【００２６】
図３（Ａ）のチラシ画像ファイル群３０は、コンテンツファイル２６１の一部であり、その各ファイルは、折込会社１３からの折込チラシをチラシサーバ管理会社１４がスキャナで読み取って画像変換したもの、又は、折込会社１３で同様の処理を行い若しくは広告代理店１１から折込会社１３が受け取った電子ファイル（チラシ原稿ファイル）を折込チラシサーバ２０へ送信したものである。ファイル名は、チラシコードを含んでおり、例えばＣ１０５２３．ｊｐｇは、チラシコードがＣ１０５２３であることを示している。チラシ画像ファイル群３０には、各チラシについて表面のチラシ画像ファイルと裏面のチラシ画像ファイルが含まれ、両者は異なるフォルダに格納されている。また、チラシ画像ファイル群３０には、各チラシについて、同じチラシの縮小チラシ画像ファイルと拡大チラシ画像ファイルとが含まれ、両者は異なるフォルダに格納されている。
【００２７】
図３（Ｂ）の折込エリアマップデータ３１は、チラシデータベース２６２に格納されるデータであり、チラシサーバ管理会社１４が取扱っている折込エリアの全マップデータである。折込エリアは、チラシ配布単位エリアである。すなわち、チラシ配布エリアは、１つ以上の折込エリアを指定することにより定められる。折込エリアは、新聞社毎に異なる。
【００２８】
例えば図７（Ｃ）は、ある新聞社のある地域における折込エリアＡ０１〜Ａ１９を示している。各折込エリアは、ポリゴンデータで表される。折込エリア情報は、新聞社から折込組合を介して、それに所属する折込会社に伝えられる。チラシサーバ管理会社１４はこの情報を折込会社１３から受け取って、ポリゴンデータに変換する。
【００２９】
図４（Ａ）は、チラシデータベース２６２に格納されるチラシ属性テーブル３２を示す。このテーブルは、チラシコード、店舗コード、新聞社・折込エリアコードで表される配布エリア、折込チラシ配布日である開始日、広告有効期限を示す終了日、本日が開始日から終了日までの間であるかどうかを示す有効フラグＥＦ、閲覧者によるチラシのクリック数のフィールドを含んでいる。クリック数には、チラシの表面と裏面のそれぞれのクリック数があるが、図４（Ａ）では１つのみ示している。図４（Ｂ）は、チラシデータベース２６２に格納される店舗テーブル３３を示す。このテーブルは、店舗のコード、業種、名称、住所、電話番号、その他のフィールドを含んでいる。店舗テーブル３３は、チラシ属性テーブル３２と共にリレーショナルテーブルを構成している。
【００３０】
図５及び図６は、図２中の折込チラシサーバ２０とクライアント２４の協調動作のシーケンスを示すフローチャートである。以下、括弧内は図中のステップ識別符号である。
【００３１】
（Ｓ１０）折込チラシサーバ２０の制御部２５２は、閲覧者がクライアント２４の画面上で指定した地域（例えば東京都）を表示するためのファイルを、コンテンツファイル２６１から読み出し、クライアント２４に送信する。これにより、図７（Ａ）に示すように指定地域の地図（実際には通常の地図）がクライアント２４の画面に表示される。図７（Ａ）中の境界線（点線）は、行政区画を示す。
【００３２】
（Ｓ１１）閲覧者はこの地図上の位置又は地域を、マウスのクリックで指定する。
【００３３】
（Ｓ１２）制御部２５２はこれに応答して、コンテンツファイル２６１から指定地域のマップ表示用ファイルを読出し又は指定位置を中心とするマップ画像を切り出してこれをリンクしたマップ表示用ファイルを作成し、クライアント２４に送信する。
【００３４】
（Ｓ１３）これにより、クライアント２４の画面には、例えば図７（Ｂ）に示すような、指定地域（指定位置を中心とする地域も指定地域と称す。）のマップ３４が表示される。このマップは通常のものであり、図７（Ｂ）中の境界線（点線）は、行政区画を示す。
【００３５】
（Ｓ１４）閲覧者は、自分の住所又は居所の概略位置をマップ３４上で、マウスクリック時のマウスカーソル位置Ｐにより指定する。JavaScript等により、この位置Ｐ（又はその位置Ｐを含む小領域の位置）の座標データが検出され、これが制御部２５２に送信される。
【００３６】
（Ｓ１５）簡単化のために、３社のＮ１〜Ｎ３新聞の折込エリアマップについて考える。制御部２５２は、マップ３４の全領域を含む（図７（Ｃ）参照）、図８に示すようなＮ１〜Ｎ３新聞の折込エリアマップ３１１〜３１３のデータ（各折込エリアを表すポリゴンデータの集合）をチラシデータベース２６２から読み出す。制御部２５２は、Ｎ１〜Ｎ３新聞のそれぞれについて、マップ３４上の位置Ｐが含まれる折込エリアＡ０９、Ｂ１０、Ｄ０８のコードを検出する。各折込エリアがポリゴンデータで表されているので、どの折込エリアに位置Ｐが属するかは、公知の方法で調べることができる。
【００３７】
（Ｓ１６）検出された折込エリアコードとその新聞社のコードとの組み合わせをキーとして、図４のチラシ属性テーブル３２を検索し、ＥＦ＝‘１’である、対応するチラシコードと店舗コードとを抽出する。
【００３８】
なお、有効フラグＥＦの値は、毎日２回所定時刻に更新される。例えば午前５時に開始日を参照して、本日が開始日であれば、有効フラグＥＦについて‘０’から‘１’への更新を行い、午後１１時５５分に終了日を参照して、本日が終了日であれば、有効フラグＥＦについて‘１’から‘０’への更新を行う。
【００３９】
（Ｓ１７）制御部２５２は、コンテンツファイル２６１から業種選択用ファイを読み出してクライアント２４に送信する。
【００４０】
（Ｓ１８）これにより、クライアント２４に例えば図９（Ａ）に示すような業種選択画面が表示される。
（Ｓ１９）閲覧者は、見たいチラシ業種を１つ又は複数選択する。これにより、選択された業種データが制御部２５２に送信される。
【００４１】
（Ｓ２０）制御部２５２はこれを一時記憶し、次に、ステップＳ１６で抽出された店舗コードをキーとして、図４に示す店舗テーブル３３を検索し、該当するレコードのうち、業種が上記一時記憶したものと一致するものを抽出する。抽出したレコードの店舗の名称及び住所を含む店舗選択ファイルを作成し、クライアント２４に送信する。
【００４２】
（Ｓ２１）これにより、例えば図９（Ｂ）に示すような店舗選択リストがクライアント２４の画面に表示される。
【００４３】
本実施例によれば、店舗の所在地及び業種との関係で、経験上購買の可能性の高い折込エリアが広告主の判断で指定されていることと、閲覧者指定位置Ｐがどの折込エリアに属しているかに応じて店舗リストが作成されることから、閲覧者は地図上の位置Ｐと業種を指定するだけで、業種に応じた適当な範囲を検索したことになる。これにより、閲覧者にとって不要なチラシの多くがリストアップ対象外となるので、次に行われる、リスト中の店舗指定が容易となる。また、折込エリアが新聞社に依存するにもかかわらず、ステップＳ１５において、各新聞社につき位置Ｐが含まれる折込エリアのコードを検出するので、閲覧者は新聞社名を選択する必要がない。
【００４４】
（Ｓ２２）閲覧者が店舗を指定すると、そのデータが制御部２５２に送信される。
【００４５】
（Ｓ２３）制御部２５２は、この店舗のチラシコードに基づいて図３のチラシ画像ファイル群３０から、該当する縮小チラシ画像ファイルを読み出す。
【００４６】
（Ｓ２４）このファイルをリンクしたチラシ表示用ファイルを作成し、クライアント２４に送信する。
【００４７】
（Ｓ２５）これにより、クライアント２４の画面に、閲覧者が選択した図９（Ｃ）に示すようなチラシの表面と裏面の縮小画像が表示される。
【００４８】
（Ｓ２６）「表」又は「裏」をクリックすると、その「表」又は「裏」を示すデータが制御部２５２へ送信される。
【００４９】
（Ｓ２７）制御部２５２は、これに応答して、指定された「表」又は「裏」の拡大画像ファイルをリンクしたファイルを送信する。「表」が指定された場合には、表カウンタを１だけインクリメントし、「裏」が指定された場合には、裏カウンタを１だけインクリメントする。また、クリックの時刻を、上述のクリック統計用データとして、チラシデータベース２６２に格納する。
【００５０】
（Ｓ２８）このファイル受信すると、クライアント２４の画面に、例えば図９（Ｄ）に示すような、指定した「表」又は「裏」の拡大画像が表示される。
【００５１】
（Ｓ２９）画面上の「地域」、「業種」又は「店舗」のいずれかをクリックすると、そのデータが制御部２５２に送信される。
【００５２】
（Ｓ３０）図９（Ｃ）又は（Ｄ）の画面で、「地域」、「業種」又は「店舗」が選択された場合には、それぞれステップＳ１０、Ｓ１７又はＳ２０へ戻る。
【００５３】
なお、本考案には外にも種々の変形例が含まれる。
【００５４】
例えば、店舗によって配布エリアが毎回同じである場合が多いので、これをチラシ属性テーブル３２から外して店舗テーブル３３に含めてもよい。また、日本全国のマップから関東地方、東京都のマップのように順に地域を絞るようにしてもよいことは勿論である。さらに、折込エリアマップを、折込組合から取得する構成であってもよい。また、広告代理店１１を介さずに広告主１０が印刷会社１２及び折込会社１３に発注するフローであってもよい。
【００５５】
また、本考案のチラシは、折込チラシに限定されず、新聞に折り込まれずにＷｅｂ上のみで公開されるものであってもよい。この場合、折込エリアは架空のものであり、折込会社や折込組合とは無関係に定められる。さらに、チラシの内容情報は画像に限定されず、文字で表した情報であってもよい。
【図面の簡単な説明】
【００５６】
【図１】本考案の一実施例に関係した折込チラシ広告の概略フロー説明図である。
【図２】本考案の一実施例のチラシＷｅｂ公開システムを示す概略図である。
【図３】（Ａ）は図２中のコンテンツファイル２６１の一部の説明図、（Ｂ）は図２中のチラシデータベース２６２に格納されるデータの説明図である。
【図４】図２中のチラシデータベース２６２に格納されるデータの説明図である。
【図５】図２中の折込チラシサーバ２０とクライアント２４の協調動作のシーケンスを示すフローチャートである。
【図６】図５の続きを示すフローチャートである。
【図７】このフローチャートにおける処理の説明図である。
【図８】このフローチャートにおける処理の説明図である。
【図９】このフローチャートにおける処理の説明図である。
【符号の説明】
【００５７】
１０  広告主
１１  広告代理店
１２  印刷会社
１３  折込会社
１４  チラシサーバ管理会社
２０  折込チラシサーバ
２２  インターネット
２４  クライアント
２５  コンピュータ本体
２５１  通信インタフェース
２５２  制御部
２５３  ＤＢＭＳ
２６  外部記憶装置
２６１  コンテンツファイル
２６２  チラシデータベース
２８  折込会社のコンピュータ
３０  チラシ画像ファイル群
３１  折込エリアマップデータ
３１１〜３１３  折込エリアマップデータ
３２  チラシ属性テーブル
３３  広告主テーブル
３４  マップ
ＥＦ  有効フラグ
Ｐ  位置
Ａ０１〜Ａ１９、Ｂ１０、Ｄ０８  折込エリア
【図１】
0003111977.tif 000003
【図２】
0003111977.tif 000004
【図３】
0003111977.tif 000005
【図４】
0003111977.tif 000006
【図５】
0003111977.tif 000007
【図６】
0003111977.tif 000008
【図７】
0003111977.tif 000009
【図８】
0003111977.tif 000010
【図９】
0003111977.tif 000011